(57)【要約】【課題】粘着方式によって虫や蚊などを捕らえ、且つ使用しないときには、虫取り器の虫取り手段をカバーすることにより、外観が綺麗に見え可能であり、そして電力の消耗を低減可能であり、使用寿命が更に長くなる。【解決手段】主体の前端に発光装置が設けられており、前記主体には、前記発光装置に応じて光透過可能な粘着紙が設けられており、前記発光装置に電力を供給するための電源部が設けられており、その外端にカバーが設けられている。【選択図】図１
0003141206.tif 000002
【実用新案登録請求の範囲】
【請求項１】
主体の前端に発光装置が設けられ、
前記主体には、前記発光装置に応じて光透過可能な粘着紙が設けられており、
前記発光装置は、電力を供給するための電源部を設けており、その外端にカバーが設けられていることを特徴とする、
虫取り器。
【請求項２】
前記主体には、前記発光装置に応じて係止溝が設けられており、前記粘着紙は前記係止溝に係止可能であることを特徴とする、請求項１に記載の虫取り器。
【請求項３】
前記主体の底端の両側には枢着部が形成されており、前記枢着部に補強片が結合されており、前記枢着部の外側に規制ピンが凸設されており、前記枢着部にねじ穴が開設されており、前記カバーの底端の両側は前記主体の枢着部に応じて枢設部が形成されており、前記枢設部には前記枢着部の外側に凸設された規制ピンに応じて円弧形状を呈する規制溝が開設されており、前記枢設部は前記枢着部のねじ穴に応じてねじ穴も開設されており、調整子を前記枢設部に開設されたねじ穴を通過して前記枢着部に開設されたねじ穴にねじ込むと、前記主体と前記カバーの開き角度を固定することができることを特徴とする、請求項１に記載の虫取り器。
【請求項４】
前記カバーには時計として使用可能なタイマーモジュールが設けられていることを特徴とする、請求項１に記載の虫取り器。
【考案の詳細な説明】
【技術分野】
【０００１】
本考案は、虫取り器に係り、特に、粘着方式によって虫や蚊などを捕らえ、且つ使用しないときには、虫取り器の虫取り手段をカバーすることにより、外観が綺麗に見え可能であり、そして電力の消耗を低減可能であり、使用寿命が更に長くなる虫取り器に関するものである。
【背景技術】
【０００２】
従来、よく使用されている虫取り器の構造は、図９に示すように、底部台座５１の端縁に保護網５２が環設されており、前記保護網５２の頂端に頂部台座５３が組み立てられており、前記頂部台座５３の上で上カバー５４がカバーされており、また、前記頂部台座５３の上では直流高圧電を発生するための回路板５５が設けられており、前記底部台座５１と前記頂部台座５３の間には、密集に交差されている正電極棒５６と負電極棒５７が環設されており、灯管５８も設けられており、前記回路板５５により発生される直流高圧電が前記正電極棒５６と負電極棒５７とに供給され、虫や蚊などが灯管５８に誘惑され虫取り器５内に飛び込んで正電極棒５６と負電極棒５７に接触すると、正電極棒５６と負電極棒５７に流れている直流高圧電により虫や蚊などが殺される。
【０００３】
しかしながら、直流高圧電によって虫や蚊などを殺すことは、電気的エネルギーが大量に消耗され、且つユーザが油断で正電極棒５６と負電極棒５７に接触すると感電する危険性がある。
そして直流高圧電によって虫や蚊などを殺すときには、騒音が発生し、殺された虫や蚊などは、虫取り器の周りの散布し、又は正電極棒５６や負電極棒５７に粘着してしまう。殺された虫や蚊などの清掃が極めて面倒であり、したがって従来の虫取り器は理想的なものとは言えない。
【考案の開示】
【考案が解決しようとする課題】
【０００４】
本考案の主な目的は、粘着方式によって虫や蚊などを捕らえ、且つ使用しないときには、虫取り器の虫取り手段をカバーすることにより、外観が綺麗に見え可能であり、そして電力の消耗を低減可能であり、使用寿命が更に長くなる虫取り器を提供することにある。
【課題を解決するための手段】
【０００５】
上記目的を達成するためになされた本願の第１考案は、主体の前端に発光装置が設けられており、前記主体には、前記発光装置に応じて光透過可能な粘着紙が設けられており、前記発光装置に電力を供給するための電源部が設けられており、その外端にカバーが設けられていることを特徴とする虫取り器であることを要旨としている。
【０００６】
本願の第２考案では、前記主体には、前記発光装置に応じて係止溝が設けられており、前記粘着紙は前記係止溝に係止可能であることを特徴とする本願の第１考案に記載の虫取り器であることを要旨としている。
【０００７】
本願の第３考案では、前記主体の底端の両側には枢着部が形成されており、前記枢着部に補強片が結合されており、前記枢着部の外側に規制ピンが凸設されており、前記枢着部にねじ穴が開設されており、前記カバーの底端の両側は前記主体の枢着部に応じて枢設部が形成されており、前記枢設部には前記枢着部の外側に凸設された規制ピンに応じて円弧形状を呈する規制溝が開設されており、前記枢設部は前記枢着部のねじ穴に応じてねじ穴も開設されており、調整子を前記枢設部に開設されたねじ穴を通過して前記枢着部に開設されたねじ穴にねじ込むと、前記主体と前記カバーの開き角度を固定することができることを特徴とする本願の第１考案に記載の虫取り器であることを要旨としている。
【０００８】
本願の第４考案では、前記カバーには時計として使用可能なタイマーモジュールが設けられていることを特徴とする本願の第１考案に記載の虫取り器であることを要旨としている。
【考案の効果】
【０００９】
本考案の虫取り器によれば、次のような効果がある。
（１）本考案は、粘着方式によって虫や蚊などを捕らえるとともに、主体の外端にカバーが設けられているため、本考案に係る虫取り器を使用しないときにカバーにより主体をカバーし粘着紙を覆い隠すことができ、ホコリや異物などの粘着紙への粘着を回避可能であり、粘着紙の使用寿命を更に長く延び可能であり、虫取り器全体の外観も更に綺麗になる。
【００１０】
（２）本考案は、主体の底端に設けられた支え部により床面や卓面に放置することができ、そして主体の背面に設けられた吊るし穴により壁に吊るすこともでき、更に便利に使用できる。
【００１１】
（３）本考案に係る発光装置は、発光ダイオード（ＬＥＤ）又は灯管を発光源として使用し、前記発光装置はバックライトモジュールに設計されるため、発光ダイオード（ＬＥＤ）又は灯管の取替えが更に便利になる。
【００１２】
（４）本考案に係るカバーには、時計として使用可能なタイマーモジュールが設けられており、装飾品を付け又は模様を付けてもよく、全体の外見が更に綺麗になる。
【００１３】
（５）本考案に係るカバーは、発光装置からの光線の光度を低減可能であるので、微光照明器具として使用可能である。
【００１４】
（６）本考案に係る発光装置の電源部は、電池を使用してもいいし、外部の電源を使用してもよいため、使用が極めて便利である。
【考案を実施するための最良の形態】
【００１５】
以下、添付図面を参照して本考案の好適な実施の形態を詳細に説明する。
【実施例】
【００１６】
まず、図１及び図２を参照する。図１は本考案に係る蚊取り器の構造を示す分解斜視図であり、図２は本考案に係る蚊取り器の構造を示す側面図である。
【００１７】
本考案の実施例１の蚊取り器は、本体１が設けられており、主体１の前端に発光装置２が設けられている。
【００１８】
前記主体１には、前記発光装置２に応じて光透過可能な粘着紙３が設けられており、前記発光装置２に応じて係止溝１１が設けられており、前記粘着紙３は前記係止溝１１に係止可能に構成される。
【００１９】
前記主体１には、前記発光装置２に電力を供給するための電源部１２が設けられており、前記電源部は、電池１２１を使用してもいいし、外部の電源ソケット１２２と接続して使用してもよい。
【００２０】
主体１の背面には、吊るし穴１３が設けられており、主体１の底端に支え部１４が設けられており、且つ前記主体１の外端にカバー４が設けられている。
【００２１】
前記主体１とカバー４は、互いに係止して結合してもいいし、枢着して結合してもよい。
【００２２】
前記主体１の底端の両側には枢着部１５が形成されており、前記枢着部１５に補強片１５１が結合されており、前記枢着部１５の外側に規制ピン１５２が凸設されている。
【００２３】
前記枢着部１５にねじ穴１５３が開設されており、前記カバー４の底端の両側は前記主体１の枢着部１５に応じて枢設部４１が形成されている。
【００２４】
前記枢設部４１には前記枢着部１５の外側に凸設された規制ピン１５２に応じて円弧形状を呈する規制溝４１１が開設されており、前記枢設部４１は前記枢着部１５のねじ穴１５３に応じてねじ穴４１２も開設されている。図３に示すように、調整子４２を前記枢設部４１に開設されたねじ穴４１２を通過して前記枢着部１５に開設されたねじ穴１５３にねじ込むと、前記主体１と前記カバー４の開き角度を固定することができる。
【００２５】
また、図４及び図５を参照しながら本考案の使用状態を説明する。図４は本考案の使用状態を示す側面図であり、図５は本考案の使用状態を示す斜視図である。
【００２６】
本考案を使用しないときには、カバー４を旋回して主体１をカバーすることができ、そうすると、粘着紙３が隠されるようになる。
【００２７】
本考案を使用しようとするときには、まず、調整子４２を緩め、枢設部４１に調整子４２が螺着された箇所を中心としてカバー４を主体１に対して開き方向に旋回可能であり、且つ枢接部１５に設けられた規制ピン１５２と、枢設部４１に開設された円弧形状を呈する規制溝４１１との合わせにより、カバー４と主体１の開角を適当に調整して調整子４２をねじ込むと、カバー４に設けられた枢設部４１と、主体１に設けられた枢接部１５とが互いに緊迫するようになる。そうすると、主体１の底端に設けられた支え部１４により平面の上で主体１を支えることができ、主体１の電源部１２により発光装置２に電力を供給すると、発光装置２が発光するようになり、虫や蚊などは、発光装置２からの光線に誘惑されると、主体１の係止溝１１に係止された粘着紙に粘着され飛び離れることができなくなる。
【００２８】
また、本考案は、図４に示すように、主体１の底端に設けられた支え部１４により平面の上で主体１を支えることができると共に、図６に示すように、主体１の背面に設けられた吊るし穴１３により壁に吊るすこともでき、使用は更に便利になる。
【００２９】
また、本考案の発光装置２は、図５に示すように、発光ダイオード（ＬＥＤ）２１を発光源として使用してもいいし、図７に示すように、灯管２２を発光源として使用してもよく、そして発光装置２はバックライトモジュールに設計され、だから、発光ダイオード（ＬＥＤ）２１又は灯管２２の取替えが更に便利になる。
【００３０】
また、図８に示すように、本考案に係るカバー４には、時計として使用可能なタイマーモジュール４３が設けられており、装飾品を付け、又は模様を付けてもよく、そうすると、全体の外見が更に綺麗になる。
【図面の簡単な説明】
【００３１】
【図１】本考案に係る蚊取り器の構造を示す分解斜視図である。
【図２】本考案に係る蚊取り器の構造を示す側面図である。
【図３】本考案に係る蚊取り器の一部の構造を示す拡大断面図である。
【図４】本考案の使用状態を示す側面図である。
【図５】本考案の使用状態を示す斜視図である。
【図６】本考案の実施例２の蚊取り器の使用状態を示す側面図である。
【図７】本考案の実施例３の蚊取り器の使用状態を示す斜視図である。
【図８】本考案の実施例４の蚊取り器の使用状態を示す斜視図である。
【図９】従来のものを示す概略図である。
【符号の説明】
【００３２】
１        主体                ２        発光装置
３        粘着紙              ４        カバー
５        蚊取り器            １１      係止溝
１２      電源部              １３      吊るし穴
１４      支え部              １５      枢着部
２１      発光ダイオード      ２２      灯管
４１      枢着部              ４２      調整子
４３      タイマーモジュール  ５１      底部台座
５２      保護網              ５３      頂部台座
５４      上カバー            ５５      回路板
５６      正電極棒            ５７      負電極棒
５８      灯管                １２１    電池
１２２    電源ソケット        １５１    補強片
１５２    規制ピン            １５３    ねじ穴
４１１    規制溝              ４１２    ねじ穴
【図１】
0003141206.tif 000003
【図２】
0003141206.tif 000004
【図３】
0003141206.tif 000005
【図４】
0003141206.tif 000006
【図５】
0003141206.tif 000007
【図６】
0003141206.tif 000008
【図７】
0003141206.tif 000009
【図８】
0003141206.tif 000010
【図９】
0003141206.tif 000011